(57)【要約】【課題】心線の径の大小及び単線、より線に依存しない端子台を提供する。【解決手段】（イ）概略コの字形状の端子板（５）に補助ガイド（１４）を補助ガイド誘導部（１８）を下向きとし補助ガイド固定部（１５）を概略水平にコイルスプリング（３）の底面に組み込み、可圧板（４）の幅の狭い部位をコイルスプリング（３）の内部を貫通し、端子板（５）の端子板上面（１６）に位置決めし、加圧端（１９）側はサポートガイド（９）の間を通して設ける。（ロ）プラスチックス製のレバー（７）のレバー引き上げ部（１）を加圧板（４）のコイルスプリング（３）より下に位置した部位に貫通し設け、回転軸（６）により回転自在に設ける。（ハ）上記の（イ）（ロ）を本体モールド（２）の内部に組み込み設ける。【選択図】図１
2009295564.tif 000002
【特許請求の範囲】
【請求項１】
基板取り付け部（１３）を設けた上部若しくは下部に平滑面を持つ端子板（５）、加圧端（１９）を設けた加圧板（４）の一部を内部に挿入したコイルスプリング（３）を本体モールド（２）に組み込み設けた端子台。
【請求項２】
基板取り付け部（１３）を設けた上部若しくは下部に平滑面を持つ端子板（５）、補助ガイド（１４）及び加圧端（１９）を設けた加圧板（４）の一部を内部に挿入したコイルスプリング（３）を本体モールド（２）に組み込み設けた端子台。
【請求項３】
レバー（７）若しくはレバー（２１）を加圧板（４）を上下に駆動するために設けた、請求項（１）若しくは請求項（２）の端子台。
【請求項４】
端子板（５）の端子板下面（１７）若しくは端子板上面（１６）の加圧端（１９）の加圧方向に位置する面の対向した面にＶ型のガイドを設けた請求項（１）若しくは請求項（２）若しくは請求項（３）の端子台。
【発明の詳細な説明】
【技術分野】
【０００１】この発明は、通常使用されている端子台の中でもネジの無い端子台に関するものである。
【背景技術】
【０００２】従来、ネジの無い端子台は板バネ、導体、本体モールド、レバーの４点から主に構成されるものが多く、対象となるケーブルの心線を導体の上若しくは下に位置させ板バネの端面若しくは近傍の端面にてケーブルの心線を導体に加圧して使用し、心線を取り外す場合は板バネの一部を直接押したり、レバーを介して間接的に取り外していた。
【発明の開示】
【発明が解決しようとする課題】
【０００３】そのためには次のような問題が有った。
心線を加圧する場合、加圧力が強いほど電気的な接続の信頼性が高くまた抜けにくいが、細い心線の場合は強すぎると切断する恐れがあり、また細い心線でかつより線の場合はよりがほどけやすく加圧力が急激に低下したり切断しやすいため加圧力を強化するだけでは細い心線の課題に対応するのが難しく、また端子台が対象とするケーブルの心線の外径の幅が広くまた前述のごとく単線とより線という特性のことなる心線があること、板バネの設計上の制約、などにより心線の種類に対応した多くの種類の端子台が必要となり、しかも外見では簡単には見分けが付かなかった。
【課題を解決するための手段】
【０００４】板バネの代わりにコイルスプリングを用い、ガイドとしての機能を強化した導体、更に補助ガイド、加圧板、さらにレバーを設けることにより広範な心線径およびより線にも対応した構造とした。
【発明の効果】
【０００５】板バネの代わりにコイルスプリングを用いたためバネとしての変位と荷重を大きくとれるため心線の径の大小による加圧力や変位を高くすることが可能であり、動作が単純な直線動作であるため付加的な機能を追加することが容易である。【０００６】加圧板の後部に設けた補助ガイドには三角形の溝を設けることが可能でありこれにより心線の加圧部中央への寄せと集約が可能となり、特により線の末端部の解れが解消されるため安定した加圧が可能となり、しかもコイルスプリングからの分力が作用するため抜け止め機能や補助的な加圧板としての機能も併せ持つことができる。【０００７】コイルスプリングの加圧力が加圧板と補助ガイドに二分するため特に細い心線の場合加圧力が強すぎることから生じる断線を低減することが可能である。【０００８】レバーをコイルスプリングの下部に位置し、加圧板の幅の広い部位に組み込み設けることにより全体の高さを低く設定することが可能であり、また直接加圧板を駆動するレバーの部位の幅も広くとれるためレバーの機械的な信頼性が高い。
【発明を実施するための最良の形態】
【０００９】以下に本発明の実施の形態を、図１、図２、図３、図４、図５を用いて説明する。
（イ）基板取り付け部（１３）を端子板下面（１７）に設けた概略コの字形状の端子板（５）に補助ガイド（１４）を補助ガイド誘導部（１８）を下向きとし補助ガイド固定部（１５）を概略水平にコイルスプリング（３）の底面に組み込み、可圧板（４）の幅の狭い上部をコイルスプリング（３）の内部を貫通させ、端子板（５）の端子板上面（１６）に位置決めし、加圧板（４）の加圧端（１９）側をサポートガイド（９）の間を通して設ける。
（ロ）プラスチックス製のレバー（７）のレバー引き上げ部（１）を加圧板（４）のコイルスプリング（３）より下に位置した部位に貫通し設け、回転軸（６）により回転自在に設ける。
（ハ）上記の（イ）（ロ）を本体モールド（２）の内部に組み込み設ける。
本案を使用の際は、レバー操作部（８）を下に押し下げ、先端の心線が露出したケーブルを差し込み、レバー操作部（８）の操作力をゆるめることにより、補助ガイド（１４）が下降を初め補助ガイド誘導部（１８）が心線（１０）を端子板下面（１７）の幅中央に導き把持する、補助ガイド誘導部（１８）の動きとはずれたタイミングで加圧板（４）の加圧端（１９）がケーブルに近い位置にある心線（１０）を加圧する。
この際、心線の幅中心部への寄せのために端子板下面の側面に誘導のための斜面を設けてもよい。又（イ）（ロ）の本体モールド（２）への組み込み角度を傾斜させることにより心線に斜めの荷重を加え、抜けにくくしてもよい。更に加圧板（４）と補助ガイド（１４）を一体として設けてもよい。レバー（７）を用いず加圧板（４）の途中をドライバーなどの工具（２３）により上下駆動させてもよい。端子板上面（１６）を本体モールドにより代用してもよい。【００１０】以下に本発明の実施の形態を、図６、図７を用いて説明する。
（イ）概略コの字形状の端子板（５）に補助ガイド（１４）を補助ガイド誘導部（１８）を上向きとし補助ガイド固定部（１５）を概略水平にコイルスプリング（３）の上部に組み込み、可圧板（４）の幅の狭い部位をコイルスプリング（３）の内部を貫通させ、基板取り付け部（１３）を設けた端子板下面（１７）に位置決めし、加圧板（４）の加圧端（１９）の側はサポートガイド（９）の間を通して設け、加圧端（１９）の一部は端子板上面（１６）よりも上部に突き出るように加圧板突き出し部（２０）を設ける。
（ロ）プラスチックス製のレバー（２１）を端子板上面（１６）の近傍に設け、加圧板突き出し部（２０）と位置的に干渉するように設ける。
（ハ）上記の（イ）（ロ）を本体モールド（２）の内部に組み込み設ける。
本案を使用の際は、レバー引き下げ部（２２）を下に押し下げ、先端の心線（１０）が露出したケーブル（１１）を差し込み、レバー引き下げ部（２２）の操作力をゆるめることにより、補助ガイド（１８）が上昇を初め補助ガイド誘導部（１８）が心線（１０）を端子板上面（１６）の中央に導き把持する、補助ガイド誘導部（１８）の動きとはずれたタイミングでに加圧板（４）の加圧端（１９）が心線のケーブル側の他の部位を加圧する。この際レバー（２１）を用いずドライバーなどの工具（２３）により直接駆動してもよい。
【図面の簡単な説明】
【００１１】
【図１】本発明の側面より見た断面図である。
【図２】本発明のレバーを上部に設けた側面からみた断面図である。
【図３】本発明のレバーを用いない案の側面より見た断面図である。
【図４】本発明の端子板上板を本体モールドにて併用した案の側面からみた断面図である。
【図５】本発明の内部の部品を傾斜させた案の側面より見た断面図である。
【図６】本発明の他案の側面よりみた断面図である。
【図７】本発明の他案のレバーを用いない案の側面よりみた断面図である。
【符号の説明】
【００１３】１．レバー引き上げ部
２．本体モールド
３．コイルスプリング
４．加圧板
５．端子板
６．回転軸
７．レバー
８．レバー操作部
９．サポートガイド
１０．心線
１１．ケーブル
１３．基板取り付け部
１４．補助ガイド
１５．補助ガイド固定部
１６．端子板上面
１７．端子板下面
１８．補助ガイド誘導部
１９．加圧端
２０．加圧板突き出し部
２１．レバー
２２．レバー引き下げ部
２３．工具
【図１】
2009295564.tif 000003
【図２】
2009295564.tif 000004
【図３】
2009295564.tif 000005
【図４】
2009295564.tif 000006
【図５】
2009295564.tif 000007
【図６】
2009295564.tif 000008
【図７】
2009295564.tif 000009